(57)【要約】【課題】  仕切紙を挿入して紙葉類を区分して集積することにより、処理単位の異なる紙葉類を集積するようにした紙葉類処理装置及びそれに用いる仕切紙供給装置と仕切紙供給方法を提供する。【解決手段】  区分枚数ごとに区分可能な複数種類の仕切紙を供給する複数の仕切紙供給装置を配置した紙葉類処理装置の本体部１において、当該本体部１の集積装置に集積された紙葉類の集積枚数が、操作表示部５５２ｆから設定された区分枚数に達した場合には、当該集積装置に更に集積されるのを禁止し、紙葉類の区分枚数に応じた仕切紙が収納されている仕切紙供給装置を選択し、当該仕切紙供給装置から取出された仕切紙を搬送路１６ａに供給し、当該集積紙葉類の上に、仕切紙を供給する。【選択図】  図１
2008084169.tif 000002
【特許請求の範囲】
【請求項１】
紙葉類を処理する紙葉類処理装置であって、
前記紙葉類を区分するための区分枚数を操作員が設定するための設定手段と、
前記紙葉類を区分する仕切紙を供給する仕切紙供給装置と、
前記紙葉類及びこの仕切紙供給装置から供給された仕切紙を搬送する搬送手段と、
この搬送手段によって搬送される前記紙葉類を判別する紙葉類判別手段と、
この紙葉類判別手段によって判別された前記紙葉類、及び前記仕切紙を集積する集積手段と、
この集積手段に集積された紙葉類の枚数が、前記区分枚数と一致したか比較する比較手段と、
この比較手段の結果に基づき後続する前記紙葉類を前記集積手段へ集積するのを中止し、前記紙葉類の取出しを禁止し、仕切紙供給が可能であることを操作員に通知する搬送制御手段と、
前記通知に基づいて前記操作員が当該集積手段に集積された紙葉類の上に仕切紙を挿入指示する仕切紙挿入指示手段と、
を備えたことを特徴とする紙葉類処理装置。
【請求項２】
前記区分枚数を設定する設定手段は、
区分枚数を設定する集積手段を指定する指定手段と、
前記区分枚数を入力する入力手段と、
この入力手段で入力された区分枚数を表示する表示手段と、
この表示手段によって表示された区分枚数を確定する確定手段と、
この確定手段によって確定された区分枚数を前記指定手段で指定された集積手段に表示する区分枚数表示手段と、
を備えたことを特徴とする紙葉類処理装置。
【請求項３】
前記仕切紙挿入指示手段は、
前記制御手段によって通知された仕切紙の挿入が可能な集積手段を指示する指示手段と、
この指示手段によって指示された集積手段に仕切紙の挿入開始を指示する挿入開始手段と、
を備えたことを特徴とする紙葉類処理装置。
【請求項４】
紙葉類を処理する紙葉類処理装置に配置された仕切紙供給装置であって、
仕切紙を供給する仕切紙供給手段と、この仕切紙供給手段から仕切紙を取出す仕切紙取出手段と、を一組とする複数の仕切紙供給部と、
この複数の仕切紙供給部から取出された前記仕切紙を搬送する仕切紙搬送手段と、
各仕切紙供給部に連結された前記仕切紙搬送手段を、前記紙葉類を搬送する搬送手段に選択的に切換える切換手段と、
前記紙葉類処理装置からの仕切紙供給の要求に基づいて、前記取出手段、仕切紙搬送手段及び切換手段を制御する搬送制御手段と、
を備えたことを特徴とする仕切紙供給装置。
【請求項５】
紙葉類を搬送路に取出す第１工程と、
この第１工程で取出された紙葉類が当該集積手段において区分枚数ごとに仕切紙挿入を行うかどうかを確認する第２工程と、
この第２工程の結果、集積を行う場合、当該集積手段に集積された集積枚数が設定手段によって設定された設定枚数に一致するか確認する第３工程と、
この第３工程の結果、一致する場合、当該集積手段を集積禁止にし、取出しを停止する第４工程と、
この第４工程の結果、前記搬送路に前記紙葉類がなくなったことを確認する第５工程と、
この第５工程の結果、紙葉類がなくなったことを確認したのに基づき操作員に対して仕切紙供給を通知する第６工程と、
この第６工程の結果、仕切紙供給を設定する手段と、
を備えたことを特徴とする紙葉類処理装置の仕切紙供給方法。
【発明の詳細な説明】
【技術分野】
【０００１】
本発明は、有価証券などの紙葉類を処理する紙葉類処理装置に関し、特に処理されて集積される紙葉類に仕切紙を挿入して区分することのできる紙葉類処理装置及びそれに用いられる仕切紙供給装置と仕切紙供給方法に関する。
【背景技術】
【０００２】
有価証券などの紙葉類を処理する紙葉類処理装置は、処理単位に応じて一括して投入された紙葉類束から取出装置によって紙葉類を１枚ずつ取出して搬送し、搬送状態検知装置及び紙葉類判別装置によって紙葉類を判別する。
【０００３】
搬送状態検知装置は、取出装置によって取り出された紙葉類の搬送状態を検知し、搬送異常券や２枚取り券を検知した場合には排除券として排除券集積装置に集積する。
【０００４】
紙葉類判別装置は、紙葉類の判別装置によって当該紙葉類の種類（以下、券種と称する。）判別、搬送方向判別、真偽判別（真券か偽券か）及び正損判別（真券で再流通可能な正券か真券で再流通不可能な損券か）を行い、正券、損券及び排除券に区分する。
【０００５】
このようにして区分された紙葉類は、処理単位区分ごとに集積され又は集積・施封されて集積カセットに収納されていた。例えば処理単位が１０００枚で１００枚区分を行う場合は、集積装置の一時集積庫に正券が１００枚集積されるごとに区分され紙帯を用いて施封装置によって施封される。施封の必要のない券種は、集積装置に集積されるとそのまま集積カセットに集積される。
【０００６】
ここで、続けて別の処理単位（バッチ）を処理する場合には、前の処理単位の紙葉類と後の処理単位の紙葉類を区別するために、前の処理単位の紙葉類が集積された集積カセット及び一時集積装置から残留した紙葉類を全て取り除き装置を初期化した後に処理を再開する方法、又は前の処理単位と後の処理単位の間にバッチカードと言われる仕切紙を挿入し、この仕切紙が紙葉類処理装置によって検知された場合には取出装置による取出しを停止し、搬送路に残留した紙葉類を処理した後に後の処理単位を処理する方法が用いられている（例えば、特許文献１参照。）。
【特許文献１】特開２００２−１９７５１０号公報  （第１０頁、図１）
【発明の開示】
【発明が解決しようとする課題】
【０００７】
しかしながら、特許文献１記載の紙葉類処理装置では、前者の場合は処理単位ごとに紙葉類処理装置を停止する必要があり、後者の場合は仕切紙が検知された後に紙葉類処理装置が停止する。このように何れの場合にも紙葉類処理装置が停止するため、連続した処理ができないという課題があった。
【０００８】
本発明は、上記問題を解決するためになされたもので、紙葉類の処理単位ごと、又は紙葉類の区分単位ごとに仕切紙を挿入することによって紙葉類を区分し、目視確認ができるようにすることによって、紙葉類の処理単位が異なる場合であっても紙葉類処理装置を停止しないで稼動できるようにした紙葉類処理装置及びそれに用いる仕切紙供給装置と仕切紙供給方法を提供する。
【課題を解決するための手段】
【０００９】
上記目的を達成するために、本発明の請求項１記載の紙葉類処理装置は、紙葉類を処理する紙葉類処理装置であって、前記紙葉類を区分するための区分枚数を操作員が設定するための設定手段と、前記紙葉類を区分する仕切紙を供給する仕切紙供給装置と、前記紙葉類及びこの仕切紙供給装置から供給された仕切紙を搬送する搬送手段と、この搬送手段によって搬送される前記紙葉類を判別する紙葉類判別手段と、この紙葉類判別手段によって判別された前記紙葉類、及び前記仕切紙を集積する集積手段と、この集積手段に集積された紙葉類の枚数が、前記区分枚数と一致したか比較する比較手段と、この比較手段の結果に基づき後続する前記紙葉類を前記集積手段へ集積するのを中止し、前記紙葉類の取出しを禁止し、仕切紙供給が可能であることを操作員に通知する制御手段と、前記通知に基づいて前記操作員が当該集積手段に集積された紙葉類の上に仕切紙を挿入指示する仕切紙挿入指示手段と、を備えたことを特徴とする。
【００１０】
また、本発明の請求項４記載の仕切紙供給装置は、紙葉類を処理する紙葉類処理装置に配置された仕切紙供給装置であって、仕切紙を供給する仕切紙供給手段と、この仕切紙供給手段から仕切紙を取出す仕切紙取出手段と、を一組とする複数の仕切紙供給部と、この複数の仕切紙供給部から取出された前記仕切紙を搬送する仕切紙搬送手段と、各仕切紙供給部に連結された前記仕切紙搬送手段を、前記紙葉類を搬送する搬送手段に選択的に切換える切換手段と、前記紙葉類処理装置からの仕切紙供給の要求に基づいて、前記取出手段、仕切紙搬送手段及び切換手段を制御する搬送制御手段と、を備えたことを特徴とする。
【００１１】
さらに、本発明の請求項５記載の仕切紙供給装置の仕切紙供給方法は、紙葉類を搬送路に取出す第１工程と、この第１工程で取出された紙葉類が当該集積手段において区分枚数ごとに仕切紙挿入を行うかどうかを確認する第２工程と、この第２工程の結果、集積を行う場合、当該集積手段にされた集積枚数が設定手段によって設定された設定枚数に一致するか確認する第３工程と、この第３工程の結果、一致する場合、当該集積手段を集積禁止にし、取出しを停止する第４工程と、この第４工程の結果、前記搬送路に前記紙葉類がなくなったことを確認する第５工程と、この第５工程の結果、紙葉類がなくなったことを確認したのに基づき操作員に対して仕切紙供給を通知する第６工程と、この第６工程の結果、仕切紙供給を設定する手段と、を備えたことを特徴とする。
【発明の効果】
【００１２】
本発明によれば、紙葉類の処理単位ごと、又は紙葉類の区分単位ごとに仕切紙を挿入することによって紙葉類を区分し、目視確認ができるようにすることによって、紙葉類の処理単位が異なる場合であっても紙葉類処理装置を停止しないで稼動できるようにした紙葉類処理装置及びそれに用いる仕切紙供給装置と仕切紙供給方法を提供することができる。
【発明を実施するための最良の形態】
【００１３】
以下、図面を参照して本発明の実施例を説明する。
【実施例】
【００１４】
図１は、本発明の実施例による紙葉類処理装置１００の概略構成図である。紙葉類処理装置１００は、本体部１及び操作部５５０で構成されており、本体部１は、インターフェース５０１を介して操作部５５０に接続されている。
【００１５】
操作部５５０に接続された操作表示部５５２から操作員の操作によって、入金業務、整理業務などの取引方法の設定、処理した紙葉類Ｐを収納するカセット５７ｅ〜６２ｅを設定するカセットアサイン、及び紙葉類Ｐの正損レベル設定などが行われる。この設定の後、操作員が供給台１１に処理単位の紙葉類をセットする。操作部５５０から本体部１による処理を開始すると、紙葉類Ｐは、取出ローラ５によって１枚ずつ搬送路（搬送手段）１６ａに取り出されて搬送される。
【００１６】
紙葉類判別部（紙葉類判別手段）１９によって当該紙葉類Ｐの券種判別、搬送方向判別、真偽判別及び正損判別が行われる。この判別結果に基づいて当該紙葉類Ｐは正券、損券又は排除券に区分され、集積又は施封される。
【００１７】
入金業務とは、予め合計金額のわかっている複数券種の紙葉類Ｐを、紙葉類処理装置１００を用いて、券種ごと、搬送方向ごと、正損ごとに区分し、紙葉類処理装置１００で計数した金額が正しいことを確認し、上位システム（図示しない）に登録する業務である。なお、この業務によって処理された紙葉類Ｐは、上述した集積装置５７〜６２にセットされた紙葉類収納装置としてのカセット５７ｅ〜６２ｅに集積され、又は施封部４で１００枚ごとに施封され紙葉類把（以下、把と称する。）Ｈが形成される。
【００１８】
整理業務とは、入金業務において上位システム（図示しない）に計数を登録しない業務である。取引した券種を計数することが目的ではなく、一度入金業務などで計数を行った券種をさらに詳細に（例えば、表裏及び正損ごとに）集積装置５７〜６２の各カセット５７ｅ〜６２ｅに集積をし、又は施封装置４８で施封後、カセット６３ｄに集積する。
【００１９】
カセットアサインとは、集積装置（集積手段）５７〜６２の各カセット５７ｅ〜６２ｅに収納する券種、及び施封部４で施封する券種を設定することである。
【００２０】
正損レベル設定とは、真券で再流通可能な正券と真券で再流通不可能な損券に区分する閾値である正損判別レベルを設定することである。詳細は後述するが、正損判別レベルの値が大きくなるほど損券枚数が多くなる。
【００２１】
ここで、紙葉類Ｐが搬送されるときの搬送方向について説明する。紙葉類Ｐは、表（Ｆａｃｅ：表を上にした状態）、裏（Ｂａｃｋ：裏を上にした状態）、正（Ｆｏｗａｒｄ：紙葉類の表もしくは裏の印刷が正立した状態）、逆（Ｒｅｖｅｒｓｅ：紙葉類の表もしくは裏の印刷が倒立した状態）の４種類あり、これらを組み合わせた表正ＦＦ、表逆ＦＲ、裏正ＢＦ、裏逆ＢＲからなる４種類の搬送方向が形成される。
【００２２】
本体部１は、紙葉類Ｐを供給する供給部１０、この供給部１０に供給された紙葉類Ｐを取出す取出ローラ５、この取出ローラ５によって取出された紙葉類Ｐを搬送する搬送路１６ａが備えられている。また、この搬送路１６ａによって搬送される紙葉類Ｐの搬送状態を検出し補正を行う整列ユニット６が配置されている。さらに、この整列ユニット６によって搬送補正された紙葉類Ｐを１枚ずつ判別する紙葉類判別部１９が搬送路１６ａに沿って配置されている。さらに、仕切紙を供給する仕切紙供給手段７０が設けられており、この仕切紙供給手段７０から取出された仕切紙は、搬送路１６ｂを経て搬送路１６ａに渡される。
【００２３】
紙葉類判別部１９による判別結果は主制御部５００に通知される。主制御部５００は、受信した判別結果に基づいて、後述する搬送制御部、施封制御部４００を制御する。搬送制御部は、紙葉類の搬送を制御するもので、分岐ゲートＧ１、Ｇ２、・・・Ｇ８、及び搬送方向を揃えるために反転する表裏反転部９を制御する。このようにして搬送方向の揃えられた紙葉類Ｐは、操作表示部５５２によって設定された区分方法に基づいて施封する施封部４で施封され、又は券種ごとに集積部５０で集積される。
【００２４】
分岐ゲートＧ１は、例えば、排除券と、処理券とに振り分けるゲートである。排除券とは、紙葉類判別部１９で紙葉類Ｐを判別した結果、紙葉類Ｐが偽券、又は折れ、破れ及びスキューなどにより判別のできない「判別不能券」と判別された紙葉類をいう。この判別結果を搬送制御部が受信すると、分岐ゲートＧ１を右側（時計方向）に回動することにより、当該排除券を排除券集積部３０に集積する。
【００２５】
また、処理券とは、紙葉類判別部１９で判別された紙葉類Ｐが真券で正券、又は真券で損券をいう。搬送制御部は、その判別結果を受信すると、分岐ゲートＧ１を左側（反時計方向）に回動して、当該紙葉類を区分処理する。
【００２６】
分岐ゲートＧ２は、表裏反転分岐ゲートである。紙葉類判別部１９で判別された紙葉類Ｐの搬送方向の判別結果に基づき、表裏反転を必要とする場合に右側（時計方向）に回動し、紙葉類Ｐを図示矢印Ａ６で示す表裏反転部９を通過させる。また、表裏反転を必要としない場合、分岐ゲートＧ２を、左側に回動し、紙葉類Ｐを図示矢印Ａ４で示す方向に搬送させる。
【００２７】
表裏反転部９は、紙葉類判別部１９の券種判別及び搬送方向判別で判別された結果に基づき、紙葉類Ｐの搬送方向の表裏を取り揃えるために反転する。例えば搬送方向が裏正（ＢＦ）の場合、表裏反転部９によって表正ＦＦになる。
【００２８】
分岐ゲートＧ３は、搬送される紙葉類Ｐを搬送路１６ａから施封部４側、又は集積部５０側に分岐する分岐ゲートである。搬送される紙葉類Ｐが主制御部５００によって施封するように指定された券種の場合、搬送制御部は、分岐ゲートＧ３を右側（時計方向）に回動し、紙葉類Ｐを施封部４が設けられている図示矢印Ａ４０の方向に搬送する。また、それ以外の券種の紙葉類Ｐは、分岐ゲートＧ３から分岐ゲートＧ４〜Ｇ８を経由して集積装置５７〜６２に集積するように振り分けられる。
【００２９】
施封部４及び集積部５０には、紙葉類Ｐが搬送される搬送路から分離するために搬送路の終端に紙葉類Ｐを集積する集積装置として羽根車集積装置が設けられている。
【００３０】
この羽根車集積装置は、例えば、集積装置５７の場合、羽根車５７ａ、一時集積庫５７ｂ、シャッター５７ｃ、カセット５７ｅ、及び集積を補佐するプッシャ（図示しない）などで構成される。
【００３１】
羽根車５７ａは、複数の羽根が回転軸の周辺に組み込まれており、搬送されてきた紙葉類Ｐを羽根と羽根の間で受け取れるように紙葉類Ｐの搬送に同期して回転している。この羽根車を使用することによって、高速に搬送される紙葉類Ｐの運動エネルギーを吸収し、かつ紙葉類Ｐを整位しながら一時集積庫５７ｂに集積する。
【００３２】
一時集積庫５７ｂは、集積装置５７で使用される一時集積庫５７ｂと、施封部４の一時集積庫４２ｂとでは以降で処理する目的が異なるために形態が異なっている。
【００３３】
集積装置５７で使用される一時集積庫５７ｂには、シャッター５７ｃが備えられており、このシャッター５７ｃの上に紙葉類Ｐが集積される。そして、このシャッター５７ｃに集積された紙葉類Ｐは、例えば満杯になったとき、又は業務終了指示（図示しない）などがあると、シャッター５７ｃが開き、シャッター５７ｃ下部に設けられた集積庫としてのカセット５７ｅに設けられたバックアッププレート５７ｄの上に落下する。このバックアッププレート５７ｄは、紙葉類の投入口方向（シャッター５７ｃ側）に進退自在に移動可能な板状体で構成されていり。このバックアッププレート５７ｄに落下した紙葉類Ｐは、プッシャー（図示しない）によってカセット５７ｅに押し込まれる。
【００３４】
カセット５７ｅは、上記一時集積庫同様に、業務中にカセット５７ｅに収納された紙葉類満杯又は操作部５５０からの指示によって、集積装置５７にセットされているカセット５７ｅの交換業務に入ることができる。
【００３５】
このカセット５７ｅの交換業務を説明する。本体部１は、操作員による操作部５５０からの指示によりカセット５７ｅの第２のセキュリティ手段としての施・開錠手段を開錠する（ロックを解除する）ここでは、操作部５５０からの指示に基づいて電磁的方法によって開錠される。このロック解除とは、例えば集積装置５７のカセット５７ｅの場合、当該集積装置５７にカセット５７ｅを固定しているロックを解除することを意味する。
【００３６】
操作員は、ロック解除されたカセット５７ｅを集積装置５７から取外し、空のカセット５７ｅをセットする。この空のカセット５７ｅをセットすることによって、再度集積装置５７にカセット５７ｅがロックされる。
【００３７】
紙葉類Ｐの入っているカセット５７ｅに押し込まれる紙葉類Ｐの枚数が増えるとバックアッププレート５７ｄは下側に移動する。以上の動作は、集積装置５７〜６２で共通である。
【００３８】
施封部４は、第１集積部４２、第２集積部４３、搬送部、紙帯部４６、帯送り部４７、帯巻部４８で構成される。本実施例では、施封部４が、上記第１集積部４２、第２集積部４３を有している場合を説明するが、必要に応じてこれら２個の集積部を対にして複数セット用いてもよい。
【００３９】
第１集積部４２及び第２集積部４３は、共に同様に構成されているため、第１集積部４２についてその構成を説明し第２集積部４３の説明を省略する。
【００４０】
第１集積部４２には、施封搬送路４０Ａから紙葉類を分岐する分岐ゲートＧ１２、振り分けられた紙葉類Ｐを搬送する搬送路４０Ｂ、搬送路４０Ｂの終端から送り出された紙葉類を受け取る羽根車４２ａ、この羽根車４２ａによって受け取られた紙葉類Ｐを集積する一時集積庫４２ｂ、集積された紙葉類Ｐを押圧するプッシャー（図示しない）が設けられている。以下、施封部４の各部構成について説明する。
【００４１】
一時集積庫４２ｂは、搬送される紙葉類Ｐを計数し指定した枚数（例えば、１００枚）に達すると、続けて搬送される紙葉類Ｐを一時集積庫４３ｂに集積させるために切り替えゲートＧ１２及びＧ１３を切り替える。その後、この一時集積庫４２ｂに集積された紙葉類Ｐの施封を行う。以下この施封動作を説明する。
【００４２】
一時集積庫４２ｂに集積された１００枚紙葉類は、搬送キャリア４４に渡される。搬送キャリア４４は、図示矢印で示す縦搬送及び横搬送され、帯巻部４８に１００枚紙葉類を渡す。
【００４３】
この搬送キャリア４４から渡された１００枚紙葉類は、紙帯部４６から供給された紙帯が帯送り部４７で送られ帯巻部４８に達すると、帯巻部４８はこの紙帯を用いて上記１００枚紙葉類の所定部位を帯び巻きする。このようにして帯び巻された１００枚紙葉類からなる把Ｈが形成される。
【００４４】
帯巻部４８で形成された把Ｈは、カセット６３ｄに収納される。このカセット６３ｄに収納される方法は、集積装置５７のカセット６３ｄに紙葉類Ｐを集積する方法と同様、シャッター６３ｃ及び紙葉類取出口１２２ｂの扉が開き、把Ｈをカセット６３ｄに入れ、その上から押込み棒で中に押込む。このようにして集積された把Ｈの様子を図２に示してある。
【００４５】
図２は、図１に示す本体部１を制御する主制御部と各部との接続を示すブロック図である。すなわち、紙葉類処理装置１００を制御する主制御部５００、紙葉類判別部１９、搬送制御部２６、施封制御部４００、バーコードリーダ７、及び操作部５５０の接続状態を示すブロック図である。
【００４６】
主制御部５００は、操作部５５０の指示に基づいて、搬送される媒体の判別結果を紙葉類判別部１９から受信し、媒体を区分処理するために、搬送制御部２６、及び施封制御部４００を制御する。また、媒体判別結果を操作部５５０に送信する。
【００４７】
紙葉類判別部（紙葉類判別手段）１９は、搬送される紙葉類Ｐの券種判別、搬送方向判別、真偽判別、正損判別、及び厚さ判別を行う。
【００４８】
上記券種判別は、紙葉類Ｐの場合はその券種を判別し、さらに仕切紙を判別する。これら紙葉類Ｐの券種判別は、仕切紙も紙葉類Ｐの券種とみなした上で、紙葉類Ｐ表面の色又は模様又はその組み合わせ及び形状によって行う。
【００４９】
上記紙葉類判別を行うために、複数のセンサ１〜ｎが設けられており、これらセンサ１〜ｎの出力信号を増幅する増幅回路１〜ｎ、及びこの増幅回路１〜ｎの出力信号を処理する処理手段から構成される。この処理手段は、Ａ／Ｄ変換するためのＡ／Ｄ変換部２４、このＡ／Ｄ変換部２４でＡ／Ｄ変換されたデータを論理演算する論理回路部２３、この論理回路部２３の出力信号から券種判別、真偽判別（本物か偽物か）、正損判別及びバッチカード判別が行われる。
【００５０】
紙葉類判別部１９の制御は、全体を制御するＣＰＵ２１、このＣＰＵ２１によってアクセスされる記憶部２５及びＣＰＵ２１で判別された結果を主制御部５００との間で通信するためのＩ／Ｆ部２２で構成される。
【００５１】
搬送制御部２６は、紙葉類判別部１９の判別結果により、搬送される紙葉類Ｐの行き先を決定して、紙葉類Ｐの搬送制御を行うＣＰＵ２７、このＣＰＵ２７によってアクセスされる記憶部２９、及び主制御部５００とのＩ／Ｆ部２８で構成される。
【００５２】
主制御部５００は、主制御部５００を制御するＣＰＵ５０４、記憶部５０５、インターフェース部５０３を備えており、紙葉類判別部１９、搬送制御部２６、及び施封制御部４００に接続される。また、インターフェース５０１を介して操作表示部５５２と接続される。
【００５３】
ＣＰＵ５０４は、操作表示部５５２から操作員によって設定された入金業務、整理業務などの取引方法の設定、処理した紙葉類Ｐを収納する収納庫を設定するカセットアサインの設定、及び紙葉類の判別レベルである正損判別レベル設定などの情報を紙葉類判別部１９に送信する。また、紙葉類Ｐの判別結果を紙葉類判別部１９から受信し、操作部５５０に送信する。ここでは、取引の区切り処理が行われた際の取引計数が送信される。
【００５４】
図３は、図１に示す仕切紙供給手段７０の構成を示す断面図である。図は、３種類の仕切紙を用いた場合の一例を示しており、仕切紙を区分枚数毎に切換えることができる場合を示している。
【００５５】
集積装置（集積手段）５７〜６２に集積された紙葉類の枚数が５０枚に達するごとに５０枚区分用仕切紙Ｐｓ５０を搬送路に供給して当該集積紙葉類の上に挿入する５０枚区分用仕切紙供給部７１、同様に構成され１００枚に達するごとに１００枚区分用仕切紙を供給する１００枚区分用仕切紙供給部７２、及び同様に構成され１０００枚に達するごとに１０００枚区分用仕切紙を供給する１０００枚区分用仕切紙供給部７３で構成した場合の一例である。
【００５６】
仕切紙供給部７１は、５０枚区分に用いる仕切紙Ｐｓ５０を供給する供給部（仕切紙供給手段）７１ａ、積載された仕切紙Ｐｓ５０の最下面に当接するように配置された取出ローラ（仕切紙取出手段）７１ｂ、仕切紙Ｐｓ５０を所定の押圧力で押圧する押圧手段（図示しない）、及び仕切紙Ｐｓ５０が２枚取りされるのを防止する２枚取り防止手段（図示しない）などで構成される。なお、上記押圧手段及び２枚取り防止手段は、従来の技術によって達成できるために図示していない。
【００５７】
さらに、この取出ローラ７１ｂによって取出された仕切紙Ｐｓ５０を挟持搬送する仕切紙搬送手段としての搬送ローラ対７１ｃ、及びこの搬送ローラ対７１ｃによって搬送された仕切紙Ｐｓ５０の搬送先を制御する切換手段としての区分ゲートＧ９が配置されている。
【００５８】
この区分ゲートＧ９は、５０枚区分用仕切紙供給部７１から取出された仕切紙Ｐｓ５０を搬送する搬送路と搬送路１６ｂを連結又は遮断するための回動可能なゲートである。
【００５９】
さらに、切換手段としての区分ゲートＧ１０は、１００枚区分用仕切紙供給部７２及び１０００枚区分用仕切紙供給部７３の何れか一方の搬送路と搬送路１６ｂを連結又は遮断するための回動可能なゲートである。以上の取出手段、仕切紙搬送手段及び切換手段は、紙葉類処理装置１００からの、仕切紙供給の要求に基づいて搬送制御部（搬送制御手段）２６によって制御される。
【００６０】
図４は、仕切紙の一例である。図４（１）は仕切紙Ｐｓ５０を示し、図４（２）は仕切紙Ｐｓ１００を示し、図４（３）は、仕切紙Ｐｓ１０００を示す。仕切紙Ｐｓ５０〜Ｐｓ１０００の全体の色又は模様、若しくはそれらの組み合わせによる色彩が、処理する紙葉類Ｐの全体の色又は模様、若しくはそれらの組み合わせによる色彩と異なる場合が好適である。これは、処理される紙葉類の間に当該仕切紙Ｐｓ５０〜Ｐｓ１０００が挿入された場合に、容易に識別することが出来る必要があるためである。
【００６１】
図５は、集積された紙葉類及び仕切紙が集積装置５７に集積された様子を説明する集積装置５７の断面図である。図示した例は１００枚集積時に１００枚区分用仕切紙Ｐｓ１００を挿入し、１０００枚に到達した場合に１０００枚区分用仕切紙Ｐｓ１０００を挿入した例を示す。
【００６２】
集積装置５７は、箱状体を有し、羽根車５７ａ、一時集積庫５７ｂ、シャッター５７ｃ、バックアッププレート５７ｄ及びカセット５７ｅなどで構成される。図示した例は、紙葉類が区分処理され、集積装置５７に順次集積されている状態を示す。この場合はシャッター５７ｃが開ており、バックアッププレート５７ｄの上に紙葉類Ｐ１が１００枚集積され、その上に仕切紙Ｐｓ１００が集積される。
【００６３】
次に、集積された仕切紙Ｐｓ１００の上に紙葉類Ｐ２（図示しない）が集積される。同様に集積された紙葉類Ｐ１０の上に紙葉類が１０００枚に到達したので仕切紙Ｐｓ１０００が集積される。
【００６４】
処理する紙葉類Ｐがさらにある場合には、１０００枚用仕切紙Ｐｓ１０００の上に紙葉類Ｐ１１が集積される。
【００６５】
このようにして、入金業務又は整理業務に係る処理単位ごとの処理が終了した場合には、操作表示部から処理紙葉類の確認釦がオンされ、券種ごとに処理内容が表示される（終了処理）。この終了処理によって、カセット５７ｅのシャッターが閉じ、収納された紙葉類の安全を確保する。また、このシャッターが閉じることによってカセット５７ｅを集積装置５７から取外すことも可能になる。集積装置５８〜６２も上述した集積装置５７と同様に構成されている。
【００６６】
図６は、仕切紙を用いた区分方法を示すフローチャートである。以下のフローチャートでは、オプションとしての施封装置４０は考慮していない。
【００６７】
最初に、処理単位の紙葉類Ｐ又は処理単位の紙葉類の一部を供給部１０の供給カセット１２にセットする。操作表示部５５２から本体部１の取込みを開始する（第１工程、Ｓ１）。
【００６８】
取込装置１０が停止状態で搬送路（１６ａ〜１６ｅ）上に紙葉類Ｐ（券）があるかどうか確認する（Ｓ２）。この確認の結果、搬送路上に紙葉類Ｐが存在する場合（Ｓ２のＮｏ）、この紙葉類Ｐが集積紙葉類（正券又は損券）であるかどうか確認する（Ｓ３）。
【００６９】
ステップＳ３による確認の結果、集積紙葉類の場合は（Ｓ３のＯＫ）、当該搬送されている券が枚数区分を必要としている券かどうか確認する（第２工程、Ｓ４）。この確認の結果、枚数区分が必要な場合（Ｓ４のＹｅｓ）、当該紙葉類を集積する集積装置の集積枚数が区分枚数に一致するか確認する（比較手段、第３工程、Ｓ５）。
【００７０】
ステップＳ５の確認の結果、集積枚数が区分枚数に一致する場合は（Ｓ５のＹｅｓ）、当該集積装置を集積禁止にし（Ｓ６）、さらに取込装置１０を取込み禁止にする（第４工程、Ｓ７）。続けて、ステップＳ２に戻って次の紙葉類の処理を行う。
【００７１】
ステップＳ２における確認の結果、取込み装置１０が停止状態で搬送路（１６ａ〜１６ｅ）上に紙葉類がなくなったことを確認する（第５工程、Ｓ２）。
【００７２】
この第５工程の結果、搬送路に紙葉類がない場合（Ｓ２のＹｅｓ）、取引単位又は供給部に紙葉類がなくなったために取引単位に係る取引の終了処理をするために、搬送路を停止し（Ｓ８）、仕切紙供給を通知する（第６工程、Ｓ９）。
【００７３】
この仕切紙供給指示を受けた操作員によって、図８に示す仕切紙セット釦５２２ｊが押下されると、仕切紙が仕切紙供給装置７０から供給される。
【００７４】
また、ステップＳ３において、集積紙葉類でない場合（Ｓ３のＮＧ）は、当該紙葉類を排除券集積装置３０に排除する。
【００７５】
図７は、操作表示部５５２に係る集積券種設定画面の一例で、本実施例での区分枚数を設定する設定手段を兼ねる。集積装置５７〜６２は、表示部５５２ａのＡ〜Ｆに該当し、当該集積装置は、最左列に表示した券種、表裏、正逆、正損及び区分枚数の設定が操作員によって行うことが可能である。例えば集積装置５７は当該表示部５５２ａのＡに該当する。この区分枚数を設定する設定手段には、テンキー部５２２ｉ、区分枚数表示部５２２ｈ及び区分枚数設定釦５２２ｇが備えられている。
【００７６】
テンキー部５２２ｉは、区分枚数を入力する入力手段である。この入力手段から入力された区分枚数は、区分枚数表示部（表示手段）５２２ｈに表示される。また、この区分枚数表示部５２２ｈに表示された区分枚数は、区分枚数設定釦（確定手段）５２２ｇを押下する（又はクリックする）ことによいって設定される。設定された区分枚数は、区分枚数を設定する集積手段５７〜６２に該当する区分枚数設定部（指定手段及び表示手段）５２２ｆに表示される。例えば区分枚数を設定する集積手段６１を指定するには表示部５２２ｆの‘Ｅ’を指定すると、その部分が指定され（指定手段）、区分枚数設定釦５２２ｇを押下時設定された区分枚数が表示される（表示手段）。
【００７７】
以下、図示した例の集積装置５７（表示部５２２ａの‘Ａ’に該当する）及び集積装置６１（表示部５２２ａ‘Ｅ’に該当する）の場合の集積券種設定内容を説明する。
【００７８】
集積装置５７集積券種設定は以下に示す通りである。  
券種  １  ：券種設定が「１」であり、当該集積装置に券種１が集積される。  
表裏  表  ：表裏設定が「表」であり、券種１の表を上にして集積される。  
正逆  正  ：正逆設定が「正」であり、券種１が正立の状態で集積される。  
正損      ：正損設定が設定されておらず、券種１の正券／損券の区別は行わないで集積される。  
区分枚数  ：区分枚数設定が設定されておらず、仕切紙の挿入は行わない。
【００７９】
以上の設定の結果、集積装置５７には、券種１が、上述した表正ＦＦの状態で正券、損券混在した状態で集積される。
【００８０】
同様に集積装置６１では以下に示す紙葉類が集積される。  
券種  ５  ：券種設定が「５」であり、当該集積装置に券種５が集積される。  
表裏      ：表裏設定が設定されておらず、券種５の表又は裏の何れもが集積される。  
正逆  正  ：正逆設定が設定されておらず、券種５の正立又は倒立の何れもが集積される。  
正損      ：正損設定が「正」であり、正券が集積される。  
区分枚数  ：区分枚数設定が「５０」であり、５０枚ごとに仕切紙の挿入が行われる。
【００８１】
以上の設定の結果、集積装置６１には、券種５の正券が５０枚ごとの区分枚数設定が行われる。この区分枚数設定は任意に設定可能であるが、本実施例では、５０枚、１００枚、１０００枚に限定した場合を示しており、区分枚数設定が５０枚であるから、図３に示す５０枚区分用仕切紙Ｐｓ５０が挿入される。
【００８２】
図８は、図６に示すフローチャートのステップＳ９に示す操作表示部に係る仕切紙挿入指示手段としての仕切紙供給指示画面の一例である。本実施例では、手動供給を行う場合を示している。すなわち、図７に示す集積装置表示位置５５２ａの‘Ｅ’は、 集積装置６１に該当し、この集積装置では、区分枚数が５０枚に指定されている。従って、この場合は、集積装置６１に集積された正券５０枚に達すると図８に示す表示画面が表示され、仕切紙セット釦５２２ｈを押下する（又はクリックする）ことによって、設定された仕切紙が取出され搬送される。
【００８３】
（変形例１）
また、図８に示した仕切紙選択釦１〜３は、挿入する仕切紙を手動で変更できるようにしたものである。例えば、仕切紙選択釦１は、区分枚数設定に応じて供給される仕切紙として用いるが、処理単位の終了時には仕切紙選択釦２を押下して異なる仕切紙を挿入する場合に用いる。
【００８４】
この方法によれば、仕切紙の挿入が区分枚数の設定のみならず処理単位ごとにも行うことが可能になる。
【００８５】
（変形例２）
本実施例では、仕切紙の挿入開始を図８の仕切紙セットを押下して行う場合を示したが、これを自動で行うことも可能である。例えば、図６のステップＳ５において、集積枚数が区分枚数に達した場合（Ｓ５のＹｅｓ）、集積装置を禁止に（Ｓ６）し、続けて取出装置を取出し停止状態にし（Ｓ７）、搬送路上に紙葉類がなくなったことを確認後、仕切紙を自動供給する。
【００８６】
この方法によれば、処理が自動で行われるため、処理効率が向上する。
【図面の簡単な説明】
【００８７】
【図１】本発明の実施例による紙葉類処理装置の概略断面図。
【図２】図１に示す本体部１を制御する主制御部と各部との接続を示すブロック図。
【図３】図１に示す仕切紙供給手段７０の構成を示す断面図。
【図４】仕切紙の一例。
【図５】紙葉類及び仕切紙が集積された集積装置の概略断面図。
【図６】仕切紙を用いた区分方法を示すフローチャート。
【図７】操作表示部に係る集積券種設定画面の一例。
【図８】操作表示部に係る仕切紙供給指示画面の一例。
【符号の説明】
【００８８】
Ｈ  １００枚紙葉類
Ｐ  紙葉類
Ｇ１〜Ｇ１０  分岐ゲート
Ｇ１２〜Ｇ１３  分岐ゲート
１  紙葉類処理部
１０  供給部
１９  紙葉類判別部
４  施封部
５０  集積部
５７〜６２  集積装置
５７ａ〜６２ａ  羽根車
５７ｂ〜６２ｂ  一時集積庫
５７ｃ〜６２ｃ  シャッター
５７ｅ〜６２ｅ  カセット
７０  仕切紙供給装置
７１〜７３  仕切紙供給部
７１ａ〜７３ａ  供給部（仕切紙供給手段）
７１ｂ〜７３ｂ  取出ローラ（仕切紙取出手段）
５００  主制御部
５０２  操作表示部
５５２  操作表示部
【図１】
2008084169.tif 000003
【図２】
2008084169.tif 000004
【図３】
2008084169.tif 000005
【図４】
2008084169.tif 000006
【図５】
2008084169.tif 000007
【図６】
2008084169.tif 000008
【図７】
2008084169.tif 000009
【図８】
2008084169.tif 000010